【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
指針と、
外部操作部材と、
時刻情報を含む無線情報を受信する受信手段と、
前記指針を運針させる駆動手段と、
前記駆動手段の駆動を制御する駆動制御手段と、
前記駆動制御手段から前記駆動手段に出力される指針の駆動パルス信号をカウントするカウンタで構成された針位置記憶手段と、
を備える電波修正時計であって、
前記針位置記憶手段は、前記駆動パルス信号をカウントすることで、前記駆動パルス信号で運針される指針の針位置情報を記憶し、
前記駆動制御手段は、
前記駆動手段の駆動を停止して前記指針を手動で修正可能とする手動修正部と、
前記駆動手段の駆動を再開する駆動再開部と、
前記駆動手段の駆動を制御して前記指針を修正可能とする電動修正部と、
前記電動修正部による指針の移動量を記憶する移動量記憶部と、
前記針位置記憶手段を初期化し、前記移動量記憶部に記憶された移動量に応じて駆動手段を駆動して指針を移動させる復帰制御部と、
前記復帰制御部によって指針を移動させた後、前記受信手段で時刻情報を受信した際に、前記針位置記憶手段に記憶された針位置情報の時刻と、前記受信手段で受信された受信時刻情報の時刻との時間差に基づいて、前記駆動手段を駆動して指針で表示される時刻を修正する時刻修正部とを備えることを特徴とする電波修正時計。
【請求項２】
請求項１に記載の電波修正時計において、
前記駆動制御手段は、前記外部操作部材の操作を検出する操作検出部を備え、
前記手動修正部は、前記操作検出部で外部操作部材の第１の操作を検出した際に、前記駆動手段の駆動を停止して前記指針を手動で修正可能とし、
前記駆動再開部は、前記操作検出部で外部操作部材の第２の操作を検出した際に、前記駆動手段の駆動を再開し、
前記電動修正部は、前記操作検出部で外部操作部材の第３の操作を検出した際に、前記駆動手段の駆動を制御して前記指針を修正可能とし、
前記復帰制御部は、前記操作検出部で外部操作部材の第４の操作を検出した際に、前記針位置記憶手段を初期化し、前記移動量記憶部に記憶された移動量に応じて駆動手段を駆動して指針を移動することを特徴とする電波修正時計。
【請求項３】
請求項２に記載の電波修正時計において、
前記外部操作部材の第２の操作を検出後、第３の操作を検出する前に最初に時刻情報を受信した場合に、受信した時刻情報を前記針位置記憶手段に設定する針位置情報設定手段を備えることを特徴とする電波修正時計。
【請求項４】
請求項２または請求項３に記載の電波修正時計において、
前記外部操作部材は、竜頭と、ボタンとを備えて構成され、
前記第１の操作は、竜頭を２段目まで引き出す操作であり、
前記第２の操作は、２段目にある竜頭を０段目または１段目まで押し込む操作であり、
前記第３の操作は、竜頭を１段目に移動してボタンを押す操作であり、
前記第４の操作は、第３の操作後に竜頭を０段目に移動する操作であることを特徴とする電波修正時計。
【請求項５】
請求項４に記載の電波修正時計において、
前記指針は、時針、分針、秒針を備え、
前記駆動手段は、時針および分針を駆動する時分針モータと、秒針を駆動する秒針モータとを備え、
前記ボタンは、時分針モータの駆動を操作する第１ボタンと、秒針モータの駆動を操作する第２ボタンとを備えて構成されていることを特徴とする電波修正時計。
【請求項６】
指針と、
外部操作部材と、
時刻情報を含む無線情報を受信する受信手段と、
前記指針を運針させる駆動手段と、
前記駆動手段の駆動を制御する駆動制御手段と、
前記駆動制御手段から前記駆動手段に出力される指針の駆動パルス信号をカウントするカウンタで構成され、前記駆動パルス信号をカウントすることで、前記駆動パルス信号で運針される指針の針位置情報を記憶する針位置記憶手段と、
を備える電波修正時計の制御方法であって、
前記駆動制御手段は、
前記外部操作部材の第１の操作を検出すると前記駆動手段の駆動を停止して前記指針を手動で修正可能な手動修正モードに制御し、
前記外部操作部材の第２の操作を検出すると前記駆動手段の駆動を再開し、
前記外部操作部材の第３の操作を検出すると前記駆動手段の駆動を制御して前記指針を修正可能な電動修正モードに制御し、電動修正モード時の指針の移動量を記憶し、
前記外部操作部材の第４の操作を検出すると前記針位置記憶手段を初期化し、前記移動量記憶部に記憶された移動量に応じて駆動手段を駆動して指針を移動させ、
指針を移動させた後、前記受信手段で時刻情報を受信した際に、前記針位置記憶手段に記憶された針位置情報の時刻と、前記受信手段で受信された受信時刻情報の時刻との時間差に基づいて、前記駆動手段を駆動して指針で表示される時刻を修正することを特徴とする電波修正時計の制御方法。
【請求項７】
指針と、
外部操作部材と、
時刻情報を含む無線情報を受信する受信手段と、
前記指針を運針させる駆動手段と、
前記駆動手段の駆動を制御する駆動制御手段と、
前記駆動制御手段から前記駆動手段に出力される指針の駆動パルス信号をカウントするカウンタで構成され、前記駆動パルス信号をカウントすることで、前記駆動パルス信号で運針される指針の針位置情報を記憶する針位置記憶手段と、
を備える電波修正時計の制御プログラムであって、
前記駆動制御手段を、
外部操作部材の操作を検出する操作検出部と、
前記操作検出部で外部操作部材の第１の操作を検出すると前記駆動手段の駆動を停止して前記指針を手動で修正可能とする手動修正部と、
前記操作検出部で外部操作部材の第２の操作を検出すると前記駆動手段の駆動を再開する駆動再開部と、
前記操作検出部で外部操作部材の第３の操作を検出すると、前記駆動手段の駆動を制御して前記指針を修正可能とする電動修正部と、
前記電動修正部による指針の移動量を記憶する移動量記憶部と、
前記操作検出部で外部操作部材の第４の操作を検出すると前記針位置記憶手段を初期化し、前記移動量記憶部に記憶された移動量に応じて駆動手段を駆動して指針を移動させる復帰制御部と、
前記復帰制御部によって指針を移動させた後、前記受信手段で時刻情報を受信した際に、前記針位置記憶手段に記憶された針位置情報の時刻と、前記受信手段で受信された受信時刻情報の時刻との時間差に基づいて、前記駆動手段を駆動して指針で表示される時刻を修正する時刻修正部として機能させることを特徴とする電波修正時計の制御プログラム。
【請求項８】
請求項７に記載の電波修正時計の制御プログラムを記憶したコンピュータ読み取り可能な記憶媒体。
【手続補正２】
【補正対象書類名】明細書
【補正対象項目名】００１４
【補正方法】変更
【補正の内容】
【００１４】
本発明の電波修正時計は、指針と、外部操作部材と、時刻情報を含む無線情報を受信する受信手段と、前記指針を運針させる駆動手段と、前記駆動手段の駆動を制御する駆動制御手段と、前記駆動制御手段から前記駆動手段に出力される指針の駆動パルス信号をカウントするカウンタで構成された針位置記憶手段と、を備える電波修正時計であって、前記針位置記憶手段は、前記駆動パルス信号をカウントすることで、前記駆動パルス信号で運針される指針の針位置情報を記憶し、前記駆動制御手段は、前記駆動手段の駆動を停止して前記指針を手動で修正可能とする手動修正部と、前記駆動手段の駆動を再開する駆動再開部と、前記駆動手段の駆動を制御して前記指針を修正可能とする電動修正部と、前記電動修正部による指針の移動量を記憶する移動量記憶部と、前記針位置記憶手段を初期化し、前記移動量記憶部に記憶された移動量に応じて駆動手段を駆動して指針を移動させる復帰制御部と、前記復帰制御部によって指針を移動させた後、前記受信手段で時刻情報を受信した際に、前記針位置記憶手段に記憶された針位置情報の時刻と、前記受信手段で受信された受信時刻情報の時刻との時間差に基づいて、前記駆動手段を駆動して指針で表示される時刻を修正する時刻修正部とを備えることを特徴とする。
【手続補正３】
【補正対象書類名】明細書
【補正対象項目名】００１７
【補正方法】変更
【補正の内容】
【００１７】
この際、前記駆動制御手段は、前記外部操作部材の操作を検出する操作検出部を備え、前記手動修正部は、前記操作検出部で外部操作部材の第１の操作を検出した際に、前記駆動手段の駆動を停止して前記指針を手動で修正可能とし、前記駆動再開部は、前記操作検出部で外部操作部材の第２の操作を検出した際に、前記駆動手段の駆動を再開し、前記電動修正部は、前記操作検出部で外部操作部材の第３の操作を検出した際に、前記駆動手段の駆動を制御して前記指針を修正可能とし、前記復帰制御部は、前記操作検出部で外部操作部材の第４の操作を検出した際に、前記針位置記憶手段を初期化し、前記移動量記憶部に記憶された移動量に応じて駆動手段を駆動して指針を移動することが好ましい。
【手続補正４】
【補正対象書類名】明細書
【補正対象項目名】００２３
【補正方法】変更
【補正の内容】
【００２３】
本発明の電波修正時計の制御方法は、指針と、外部操作部材と、時刻情報を含む無線情報を受信する受信手段と、前記指針を運針させる駆動手段と、前記駆動手段の駆動を制御する駆動制御手段と、前記駆動制御手段から前記駆動手段に出力される指針の駆動パルス信号をカウントするカウンタで構成され、前記駆動パルス信号をカウントすることで、前記駆動パルス信号で運針される指針の針位置情報を記憶する針位置記憶手段と、を備える電波修正時計の制御方法であって、前記駆動制御手段は、前記外部操作部材の第１の操作を検出すると前記駆動手段の駆動を停止して前記指針を手動で修正可能な手動修正モードに制御し、前記外部操作部材の第２の操作を検出すると前記駆動手段の駆動を再開し、前記外部操作部材の第３の操作を検出すると前記駆動手段の駆動を制御して前記指針を修正可能な電動修正モードに制御し、電動修正モード時の指針の移動量を記憶し、前記外部操作部材の第４の操作を検出すると前記針位置記憶手段を初期化し、前記移動量記憶部に記憶された移動量に応じて駆動手段を駆動して指針を移動させ、指針を移動させた後、前記受信手段で時刻情報を受信した際に、前記針位置記憶手段に記憶された針位置情報の時刻と、前記受信手段で受信された受信時刻情報の時刻との時間差に基づいて、前記駆動手段を駆動して指針で表示される時刻を修正することを特徴とする。
【手続補正５】
【補正対象書類名】明細書
【補正対象項目名】００２６
【補正方法】変更
【補正の内容】
【００２６】
本発明の電波修正時計の制御プログラムは、指針と、外部操作部材と、時刻情報を含む無線情報を受信する受信手段と、前記指針を運針させる駆動手段と、前記駆動手段の駆動を制御する駆動制御手段と、前記駆動制御手段から前記駆動手段に出力される指針の駆動パルス信号をカウントするカウンタで構成され、前記駆動パルス信号をカウントすることで、前記駆動パルス信号で運針される指針の針位置情報を記憶する針位置記憶手段と、を備える電波修正時計の制御プログラムであって、前記駆動制御手段を、外部操作部材の操作を検出する操作検出部と、前記操作検出部で外部操作部材の第１の操作を検出すると前記駆動手段の駆動を停止して前記指針を手動で修正可能とする手動修正部と、前記操作検出部で外部操作部材の第２の操作を検出すると前記駆動手段の駆動を再開する駆動再開部と、前記操作検出部で外部操作部材の第３の操作を検出すると、前記駆動手段の駆動を制御して前記指針を修正可能とする電動修正部と、前記電動修正部による指針の移動量を記憶する移動量記憶部と、前記操作検出部で外部操作部材の第４の操作を検出すると前記針位置記憶手段を初期化し、前記移動量記憶部に記憶された移動量に応じて駆動手段を駆動して指針を移動させる復帰制御部と、前記復帰制御部によって指針を移動させた後、前記受信手段で時刻情報を受信した際に、前記針位置記憶手段に記憶された針位置情報の時刻と、前記受信手段で受信された受信時刻情報の時刻との時間差に基づいて、前記駆動手段を駆動して指針で表示される時刻を修正する時刻修正部として機能させることを特徴とする。